【事件の表示】
　特許第３４２６３８１号「遊戯機制御装置」の請求項１、２に係る特許に対する特許異議の申立てについて、次のとおり決定する。
【結　論】
　特許第３４２６３８１号の請求項１及び２に係る特許を取り消す。
【理　由】
１．手続きの経緯
　本件特許第３４２６３８１号の請求項１及び２に係る発明についての出願は、平成７年１月２０日に特許出願され、平成１５年５月９日にその特許の設定登録（同年７月１４日特許掲載公報発行）がなされ、その後、同年１２月２５日に面沢寿江より特許異議の申立てがなされ、当審における平成１６年６月２４日付けの取消理由通知（７月２６日発送）に対して、その指定期間内の平成１６年８月２５日に意見書が提出され、さらに同年９月２８日に特許異議申立人から上申書が提出されたものである。
　
２．本件発明
　本件特許の請求項１及び２に係る発明（以下、各々「本件発明１」、「本件発明２」という。）は、願書に添付された明細書の特許請求の範囲の請求項１及び２に記載された事項により特定される次のとおりのものである。
【請求項１】  遊戯機毎に隣接して設けられるとともに、前記隣接の遊戯機とコード線により電気接続されて成る遊戯機制御装置であって、
貨幣の投入を受け付ける貨幣受付口と、
前記貨幣受付口より受け付けられた貨幣の金種を判別する判別手段と、
前記判別手段が所定の金種を判別したとき、その金種に相応しかつ金額価値データの読み書きが行われない特定のプリペイドカードを提示した後、そのプリペイドカードを機内へ取り込むカード表示手段と、
前記カード表示手段がプリペイドカードを機内へ取り込んだ後に前記金種の貨幣が受け付けられたことを前記遊戯機へ知らせる伝送手段とを備えて成る遊戯機制御装置。
【請求項２】  遊戯機毎に隣接して設けられるとともに、前記隣接の遊戯機とコード線により電気接続されて成る遊戯機制御装置であって、
貨幣の投入を受け付ける貨幣受付口と、
前記貨幣受付口より受け付けられた貨幣の金種を判別する判別手段と、
前記判別手段が所定の金種を判別したとき、その金種に相応しかつ金額価値データの読み書きが行われない特定のプリペイドカードを提示した後、そのプリペイドカードを機内へ取り込むカード表示手段と、
前記カード表示手段がプリペイドカードを機内へ取り込んだ後に前記金種の貨幣が受け付けられたことを前記遊戯機へ知らせる伝送手段と、
前記プリペイドカードの機内への取込動作を指示するための操作スイッチとを備えて成り、
前記カード表示手段は、前記操作スイッチの操作に応答して、プリペイドカードを機内へ取り込むようにした遊戯機制御装置。
　
３．特許異議申立の概要
　特許異議申立人面沢寿江は、本件発明１及び２は、下記甲第１号証ないし甲第６号証に記載された発明に基づいて当業者が容易に発明をすることができたものであるから、特許法第２９条第２項の規定により特許を受けることができない発明であって、本件発明１及び２に係る特許は取り消されるべき旨の主張をしている。
　甲第１号証：特開平６−２４６０６０号公報 
　甲第２号証：実願平３−７９８３５号（実開平５−２１９８９号）のＣＤ−ＲＯＭ 
　甲第３号証：特開平５−３５４３５号公報 
　甲第４号証：特開平５−２８８４０２号公報
　甲第５号証：特開平６−２９００１０号公報
　甲第６号証：特開平６−１５３１３０号公報
　
４．引用刊行物
刊行物１：特開平６−２４６０６０号公報（異議申立人提出の甲第１号証）
刊行物２：実願平３−７９８３５号（実開平５−２１９８９号）のＣＤ−ＲＯＭ（異議申立人提出の甲第２号証） 
　 　
５．引用刊行物に記載された事項
（１）本件出願前に頒布された上記刊行物２には、次の事項が図面と共に記載されている。
（イ）「【請求項１】　遊戯機に隣接して配置される遊戯カード処理装置であって、貨幣の投入を受け付ける貨幣受付口と、遊戯カードを送り出すためのカード送出口と、前記貨幣受付口より受け付けられた貨幣の金額価値に応じた遊戯カードを発行するカード発行部と、前記遊戯カードを搬送して前記カード送出口より送り出す正逆駆動可能なカード搬送機構と、前記貨幣投入口より受け付けられた貨幣の金額価値データを指定された遊戯機へ伝送する伝送部と、前記金額価値データの伝送を指示するスイッチと、前記カード送出口を機外より囲むように配置される透明カバーと、前記カード送出口より遊戯カードを取込可能な状態で送り出しかつ前記スイッチの操作に応答して前記遊戯カードを機内へ取り込むよう前記カード搬送機構の動作を制御する制御装置とを備えて成る遊戯カード処理装置。」（【請求項１】）、
（ロ）「発行した遊戯カードを遊戯者の指示に応じて取り込み、投入された貨幣の金額価値データのみを隣接位置の遊戯機へ伝送することにより、遊戯者の操作負担を大幅に軽減したスロットマシンを提供することを目的とする。」（段落【０００６】）
（ハ）「図２は、遊戯カード処理装置１の外観を示すもので、その前面には表示ランプ１０，１１、カード送出口１２、伝送スイッチ１３，１４、返却スイッチ１５、貨幣受付口１６が設けられている。
  前記貨幣受付口１６は所定の金種の紙幣（たとえば１０００円札）の投入を受け付ける部分である。前記表示ランプ１０，１１は、遊戯カード処理装置１の動作状態をランプの点滅により報知するためのもので、一方の表示ランプ１０は遊戯カードを発行している状態であることを、また他方の表示ランプ１１は投入された貨幣の金額価値データを伝送している状態であることを、それぞれ遊戯者に報知する。
　カード送出口１２は遊戯カードを送り出す部分であって、機内のカード搬送機構２１（後記する）に機構的に接続されている。このカード送出口１２上にはカード送出口１２を囲むように透明カバー１７が配設されている。」（段落【００１３】、【００１４】） 
（ニ）「遊戯カード１８は、片面に磁気塗膜を有しており、この磁気塗膜に金額価値データなどの情報が磁気的に書き込まれる。前記カード発行部２０は、遊戯カード１８に金額価値データなどを磁気的に書き込むための書込ヘッド２４と、遊戯カード１８に磁気的に記録された金額価値データなどを読み取るための読取ヘッド２５とを有する。」（段落【００１６】）
（ホ）「同図において、伝送部４１は左右のスロットマシン２Ｌ，２Ｒへの金額価値データの送信と、集計用コンピュータ４との間の必要な情報の交信を行うためのものである。紙幣判別器４２は貨幣受付口１６より投入された紙幣の真偽を判別するためのもの、また紙幣取込機構４３は前記投入紙幣を機内に取り込むためのものである。」（段落【００２０】）
（ヘ）「図５は、前記ＣＰＵ３５による遊戯カード処理装置１の制御手順を示すもので、同図のステップ１（図中「ＳＴ１」で示す）で貨幣受付口１６への紙幣の投入を判断する。紙幣の投入があると、ステップ１の判定は「ＹＥＳ」であり、ＣＰＵ３５は紙幣取込機構４３を正駆動させて投入紙幣を機内に取り込み、紙幣判別器４２がその真偽を判別する（ステップ２，３）。」（段落【００２１】）
（ト）「もし投入紙幣が適正であれば、ステップ４の判定は「ＹＥＳ」であり、ＣＰＵ３５はカード搬送機構２１を正駆動させる。この場合、遊戯カード１８は待機位置３３に待機しており、カード搬送機構２１が駆動すると、遊戯カード１８はカード送出口１２の向けて搬送され、その搬送途中で書込ヘッド２４が投入された貨幣の金額価値に応じたデータを遊戯カード１８に書き込み、ついで読取ヘッド２５がそのデータを読み取ってＲＡＭ３７に記憶させる。」（段落【００２２】）
（チ）「ＣＰＵ３５はステップ８でカード搬送機構２１の駆動を停止させる。この停止時、遊戯カード１８は、先端より適当長さがカード送出口１２より突出し、後端部はカード搬送機構２１に位置して取込可能な状態となっている。
【００２４】  このようにして遊戯カード１８が発行された状態が透明カバー１７を介して遊戯者に確認できる状態となったとき、ＣＰＵ３５は伝送スイッチ１３，１４の内蔵ランプを点灯させ、遊戯者に対しいずれか伝送スイッチ１３，１４の押操作を促す（ステップ９）。」（段落【００２３】、【００２４】）
（リ）「いま仮に左側の伝送スイッチ１３が押されたと仮定すると、ステップ１０の判定が「ＹＥＳ」となり、ＣＰＵ３５はステップ１１でその伝送スイッチ１３の内蔵ランプを点滅動作させた後、前記金額価値データを左隣のスロットマシン２Ｌの制御回路部８へ送信するとともに、集計用コンピュータ４と交信して必要な情報を送出する（ステップ１２）。左隣のスロットマシン２Ｌでは送信された金額価値データを受けて、その分だけ遊戯者の保有メダル数を加算する。」（段落【００２５】）
（ヌ）「ステップ１２の送信動作が完了すると、ＣＰＵ３５はカード搬送機構２１を逆駆動させて遊戯カード１８を機内に取り込み」（段落【００２６】）
（ル）「【００３９】  【考案の効果】  この考案は上記の如く、投入貨幣の金額価値に応じた遊戯カードを発行してカード送出口へ取込可能な状態で送り出し、スイッチ操作に応答して金額価値データを遊戯機へ送信するとともに、前記遊戯カードを機内へ取り込むようにしたから、遊戯者は遊戯カードの抜取操作と遊戯機への投入操作を必要とせずに直ちにゲームを開始でき、操作負担が軽減される。この場合に、発行された遊戯カードは透明カバーの内側に存在するので、不当に抜き取られる虞もない。」（段落【００３９】） 
（ヲ）さらに、図１には、遊戯機の機体２の内部の制御回路部８と遊戯カード処理装置１を電気接続するラインが記載されている。 
　
　そして、これらの記載及び図面（図１ないし５）の記載内容を総合すると、刊行物２には、
次の発明（以下、「引用発明」という）が記載されているものと認められる。
「２台の遊戯機２Ｌ，２Ｒの中間に１つ隣接して配置されるとともに、前記隣接の遊戯機とラインにより電気接続されて成る遊戯カード処理装置１であって、所定の金種の紙幣（たとえば１０００円札）の貨幣の投入を受け付ける貨幣受付口１６と、貨幣受付口１６より投入された所定の金種の紙幣の真偽を判別する紙幣判別器４２と、前記紙幣判別器４２が所定の金種の紙幣が適正であるとしたとき、カード搬送機構２１を正駆動させ、遊戯カード１８を取込状態からカード送出口１２に向けて搬送し、その搬送途中で貨幣の金額価値に応じたデータを遊戯カード１８に書き込みヘッド２４で磁気的に書き込み、ついで読み込みヘッド２５で読み取ってＲＡＭ３７に記憶させ、カード搬送機構が停止し、取込可能な状態の遊戯カード１８は、先端より適当長さがカード送出口１２より突出し、遊戯カード１８が発行された状態が透明カバー１７を介して遊戯者に確認できる状態となったとき、伝送スイッチ１３が押されると、該伝送スイッチの操作に応答して、前記所定の金種の金額価値データを遊戯機の制御回路部８へ伝送部４１により送信し、送信動作が完了するとカード搬送機構２１を逆駆動させて遊戯カード１８を機内に取り込む遊戯カード処理装置１。」
　
（２）本件出願前に頒布された上記刊行物１には、次の事項が図面と共に記載されている。
（ワ）「複数の遊技機を列設してなる島設備１には、複数のパチンコ機２…と各パチンコ機２…に各々接続された遊技媒体貸出処理装置としてのカードユニット３…を並設してある。なお、本実施例においてはパチンコ２とカードユニット３とを別体に構成し、各々接続ケーブル４…を介して接続するものとしたが、カードユニット３…の各機能を適宜に分散させてパチンコ機２本体へ一体的に設けるようにしても良い。」（段落【０００７】）
（カ）「一方、紙幣投入口１５に紙幣が投入された場合には紙幣識別部２３が識別した投入金額データが、硬貨投入口１４に硬貨が投入された場合には硬貨識別部２２が識別した投入金額データが、各々制御部２４に供給され、これらの投入金額データを制御部２４が計数して、計数金額が当該カードユニット３の発行するカード金額（例えば５０００円）に達していれば、当該金額のカードを発行し、且つ発行したカードを玉貸用にユニット内へ受け入れたものとしてカードデータをパチンコ機２の遊技制御装置２８へ供給する。即ち、制御部２４は、この段階では発行用カードへの物理的なアクセスを行わずに、内部記憶によって、有効なプリペイドカードを受け入れた場合と同様にカードデータをパチンコ機２の遊技制御装置２８へ供給するのである。」（段落【００１７】）
（ヨ）「遊技者がカードユニット３に金銭を投入することで購入したカードを使い切ると、このカードは仮想カードのままで処理され、残高を「０」としたカードを発行しない。即ち、制御部２４がカード発行に関する情報を内部記憶することで、発行用カードへの物理的なアクセスを行うことなく玉貸動作が可能になり」（段落【００３５】）
（タ）「例えば、カード購入動作と玉貸動作との選択スイッチを設けておき、遊技者が玉貸動作を選択した場合には、投入金額に応じた玉貸動作を行えるように構成しても良い。更に、直接現金で遊技媒体の貸出も可能とすることができる。例えば、硬貨投入時には対価分の遊技媒体を直接貸し出すことも可能である。」（段落【００４７】）
　　　
６．対比・判断
（１）本件発明１について
　本件発明１と引用発明とを対比すると、引用発明の「遊戯機２Ｌ、２Ｒ」は本件発明１の「遊戯機」に相当し、以下同様に「遊戯カード処理装置１」は「遊戯機制御装置」に、「電気接続するライン」は「コード線」に、「遊戯カード１８」は「プリペイドカード」に、「貨幣受付口１６」は「貨幣受付口」に、「紙幣判別器４２」は「判別手段」に、「伝送部４１」は「伝送手段」にそれぞれ相当する。
　そして、本件発明１における「貨幣の金種を判別する判別手段と、前記判別手段が所定の金種を判別したとき」の構成については、「その紙幣について真偽を判別すると共に決められた金種（ここでは１０００円札）であるかどうかを判別する紙幣判別器」（明細書段落【００１４】参照。）及び「もし投入された紙幣が真札でありかつ１０００円札であれば、ステップ１０の判定は「ＹＥＳ」であり、・・・もし投入された紙幣がにせ札であるか、または１０００円札以外の真札であれば、ステップ１０の判定が「ＮＯ」であり、ＣＰＵ３５はエラー表示器１８に所定の数値を表示してエラーである旨を知らせる（ステップ１２）。」（明細書段落【００２１】）の記載からみて、これは、真の１０００円札であることを判別するものであると解することができ、これは刊行物２における上記記載事項（ハ）（ヘ）（ト）における１０００円札の受付に関する技術的事項と実質的に差異はないことから、引用発明における「所定の金種の紙幣の真偽を判別する紙幣判別器４２と、前記紙幣判別器４２が所定の金種の紙幣が適正であるとしたとき」は、その作用・機能からみて本件発明１の「貨幣の金種を判別する判別手段と、前記判別手段が所定の金種を判別したとき」を意味するものである。
　また、引用発明の「所定の金種の金額価値データを遊戯機の制御回路部８へ伝送部４１により送信し」については、その作用・機能からみて本件発明１の「前記金種の貨幣が受け付けられたことを前記遊戯機へ知らせる伝送手段」に相当するものである。 
  次に、本件発明１の「プリペイドカードを提示した後、そのプリペイドカードを機内へ取り込むカード表示手段」の構成については、「前記カード表示部１７は、前記紙幣判別器が１０００円札であることを判別したとき、その金種に相応するプリペイドカードを提示した後、そのプリペイドカードを機内へ取り込むためのものである。この実施例では、外側が透明カバーで覆われた表示窓２２と、この表示窓２２の内側へプリペイドカードを半ば突出させて外部より視認可能な状態に置いた後、そのプリペイドカードを内部に取り込むためのカード作動機構２３とで構成される。」（明細書段落【００１５】）と記載されている。これに対し、引用発明の「カード搬送機構２１を正駆動させ、遊戯カード１８を取込状態からカード送出口１２に向けて搬送し、」、「カード搬送機構が停止し、取込可能な状態の遊戯カード１８は、先端より適当長さがカード送出口１２より突出し、遊戯カード１８が発行された状態が透明カバー１７を介して遊戯者に確認できる状態となった」及び「カード搬送機構２１を逆駆動させて遊戯カード１８を機内に取り込む」ことは、カードの提示と取込を透明カバー１７を介して遊戯者に確認できるものであることから（上記記載事項（ハ）（チ）参照。）、これは本件発明１の「プリペイドカードを提示した後、そのプリペイドカードを機内へ取り込むカード表示手段」を実質的に意味するものである。 
 　してみると、両者は、 
 「遊戯機に隣接して設けられるとともに、前記遊戯機との間はコード線により電気接続されて成る遊戯機制御装置であって、貨幣の投入を受け付ける貨幣受付口と、前記貨幣受付口より受け付けられた貨幣の金種を判別する判別手段と、前記判別手段が所定の金種を判別したとき、特定のプリペイドカードを提示した後、そのプリペイドカードを機内へ取り込むカード表示手段と、前記金種の貨幣が受け付けられたことを前記遊戯機へ知らせる伝送手段とを備えて成る遊戯機制御装置。」 
 である点で一致しており、次の点で相違していると認められる。 
 　　　 
［相違点１］ 
　遊技機制御装置の遊戯機への隣接配置が、 
　本件発明１においては「遊技機毎」に隣接して設けるのに対し、引用発明においては「２台の遊戯機の中間に１つ」隣接して設ける点。 
　
［相違点２］ 
　プリペイドカードが、 
　本件発明１においては、その金種に相応しかつ金額価値データの読み書きが行われない特定のプリペイドカードであるのに対し、引用発明においては、取込状態からの搬送途中で書込ヘッド２４が投入された貨幣の金額価値に応じたデータをプリペイドカード（遊戯カード１８）に磁気的に書き込み、ついで読取ヘッド２５がそのデータを読み取ってＲＡＭ３７に記憶させる点。 
［相違点３］ 
　伝送手段が所定の金種の貨幣が受け付けられたことを前記遊戯機へ知らせるタイミングが、 
　本件発明１においては、カード表示手段がプリペイドカードを機内へ取り込んだ後であるのに対し、引用発明においては、伝送スイッチ１３が押された後に行われ、その後プリペイドカード（遊戯カード１８）を機内に取り込む点。 
 　　　 
　そこで、まず相違点１について検討する。 
　遊戯機毎に遊戯機制御装置を設けることは、刊行物１に記載されており（段落【０００７】）、しかも、本件特許に係る出願の出願前周知技術（周知例として、実願昭６１−２３０８９号（実開昭６２−１３３６８７号）のマイクロフィルム（「従来の技術」参照。）、実願平３−４７３２号（実開平４−９５０８７号）のマイクロフィルム参照。）であり、引用発明において、遊戯機毎に遊戯機制御装置を設けるようにすることは当業者が容易になし得たことである。 
　 　　　 
　次に、相違点２について検討する。 
　刊行物１に、
「一方、紙幣投入口１５に紙幣が投入された場合には紙幣識別部２３が識別した投入金額データが、硬貨投入口１４に硬貨が投入された場合には硬貨識別部２２が識別した投入金額データが、各々制御部２４に供給され、これらの投入金額データを制御部２４が計数して、計数金額が当該カードユニット３の発行するカード金額（例えば５０００円）に達していれば、当該金額のカードを発行し、且つ発行したカードを玉貸用にユニット内へ受け入れたものとしてカードデータをパチンコ機２の遊技制御装置２８へ供給する。即ち、制御部２４は、この段階では発行用カードへの物理的なアクセスを行わずに、内部記憶によって、有効なプリペイドカードを受け入れた場合と同様にカードデータをパチンコ機２の遊技制御装置２８へ供給するのである。」（段落【００１７】）、
「遊技者がカードユニット３に金銭を投入することで購入したカードを使い切ると、このカードは仮想カードのままで処理され、残高を「０」としたカードを発行しない。即ち、制御部２４がカード発行に関する情報を内部記憶することで、発行用カードへの物理的なアクセスを行うことなく玉貸動作が可能になり」（段落【００３５】）、
「例えば、カード購入動作と玉貸動作との選択スイッチを設けておき、遊技者が玉貸動作を選択した場合には、投入金額に応じた玉貸動作を行えるように構成しても良い。更に、直接現金で遊技媒体の貸出も可能とすることができる。例えば、硬貨投入時には対価分の遊技媒体を直接貸し出すことも可能である。」（段落【００４７】）
と記載されているように、刊行物１には、貨幣を受け付けたら、カードに対するデータの読み書きを行うことが不要なときは、カードデータの読み書きを行うことなしに、遊戯機に対し受け付けた金額価値データを伝送し、遊戯機の処理を行うことが開示されている。
　
　そして、引用発明（刊行物２の図１〜５に対応して記載されたもの）は、１０００円札などの所定の金種を受け付けるものであり、しかも、カードは外部から挿入されたり外部に排出されることもなく、透明カバーの内側に存在する特定のプリペイドカード（遊戯カード１８）を用いるものであるから、わざわざカードに対して貨幣の金額価値に応じたデータを読み書きを行うことが必要というものではないことは明らかである。
　してみれば、貨幣を受け付けたら、カードに対する金額価値のデータの読み書きを行うことが不要なときは、カードデータの読み書きを行うことなしに、遊戯機に対して受け付けた金額価値データを伝送して遊戯機の処理を行う刊行物１に開示された事項を、カード搬送中に貨幣の金額価値に応じたデータを読み書きを行うことが必要ではない引用発明（刊行物２の図１〜５に対応して記載されたもの）に適用して、本件発明１のように読み書きが行われない特定のプリペイドカードとし、データをカードを介さずに遊戯機に伝送して書き込みヘッドや読み込みヘッドを省略した構成とすることは当業者が容易になし得たことである。
　 　　　 
　次に、相違点３について検討する。 
　特許権者は、「刊行物２に記載のものは、２個の伝送スイッチ１３，１４のいずれかが操作されたとき、遊戯カードを取り込むより前に金額価値データを一方のスロットルマシンへ送信するから、遊戯者に対して購入したプリペイドカードを投入したという意識を持たせることはできない（意見書第８頁２６〜２９行）旨を主張している。
　しかし、本件発明１において、プリペイドカードを取り込んだ後に金額価値データが送信されているにしても、金額価値データの送信が行われたことが遊戯者に認識されるわけではなく、遊戯者が購入したカードを投入したという意識をもつのはカードが取り込まれることを視認するからであり、金額価値データの送信タイミングとは無関係である。
　そして、刊行物２に記載されたものも上記記載事項（チ）ないし（ヌ）からみて、遊戯者にプリペイドカードを購入して投入したという意識をもたせるためのものであることが明らかであるし、伝送スイッチは、この購入した意識をより確実に遊技機制御装置に伝えるためのものといえるから、両者は共に、遊戯者にプリペイドカードを視認できる状態としてプリペイドカードを購入して投入したという意識をもたせ、その後プリペイドカードの機内への取り込みにより投入したという意識をもたせる点で共通するものである。 
　さらに、プリペイドカードを利用する装置において、投入したカードが機内に取り込まれた後に金額情報を遊戯機へ伝送することは本件特許に係る出願の出願前周知技術であり、格別なことではない。　　　 
　してみれば、プリペイドカードを取り込む点と、所定の金種の受付を遊戯機へ知らせる点のそれぞれのタイミングの設定を、引用発明のように「プリペイドカードを機内に取り込む」タイミングより前とするか本件発明１のように「カード表示手段がプリペイドカードを機内へ取り込んだ後」とするかは、設計的事項に過ぎず、しかもそれによる作用効果上の差異は認められないので、引用発明において、カード表示手段がプリペイドカードを機内へ取り込んだ後に所定の金種の貨幣が受け付けられたことを遊戯機に知らせるようにすることは当業者が容易になし得たことである。  
　　
　そして、本件発明１により奏される効果は、刊行物２、刊行物１に記載された発明及び上記周知技術から当業者が容易に予測し得る範囲のものであるというべきである。 
　
　したがって、本件発明１は、刊行物２、刊行物１に記載された発明及び上記周知技術から当業者が容易に発明をすることができたものである。 
　
（２）本件発明２について
　本件発明２は本件発明１に「前記プリペイドカードの機内への取込動作を指示するための操作スイッチとを備えて成り、前記カード表示手段は、前記操作スイッチの操作に応答して、プリペイドカードを機内へ取り込むようにした」という操作スイッチに係る事項を付加したものに相当するものであるが、引用発明の「伝送スイッチ１３、１４」は本件発明２の「操作スイッチ」に相当するものである。
　なお、特許権者は、「刊行物２に記載のものでは、２台のスロットマシンに１台の遊戯カード処理装置が割り当てられるので、金額価値データの送信先を左右どちらのスロットマシンに指定する必要がある。そのような意味合いから刊行物２に記載の遊戯カード処理装置では伝送スイッチが必要不可欠となっているのであり、従って、この伝送スイッチは本件発明における操作スイッチに対応するものではない」（意見書第１２頁１２〜１７行）と主張している。
　しかし、刊行物２に記載の伝送スイッチは左右いずれかのスロットマシンを指定するだけでなく、カードの機内への取込を指示するものでもあり、刊行物２においても、伝送スイッチの操作に応答してカードの機内への取込が行われる点で本件発明２の操作スイッチと同じ機能を有するものであるから、特許権者の前記主張は採用できない。
　
　そうすると、本件発明２は、引用発明とを対比すると、両者は、 
 「遊戯機に隣接して設けられるとともに、前記遊戯機との間はコード線により電気接続されて成る遊戯機制御装置であって、貨幣の投入を受け付ける貨幣受付口と、前記貨幣受付口より受け付けられた貨幣の金種を判別する判別手段と、前記判別手段が所定の金種を判別したとき、特定のプリペイドカードを提示した後、そのプリペイドカードを機内へ取り込むカード表示手段と、前記金種の貨幣が受け付けられたことを前記遊戯機へ知らせる伝送手段と、前記プリペイドカードの機内への取込動作を指示するための操作スイッチとを備えて成り、前記カード表示手段は、前記操作スイッチの操作に応答して、プリペイドカードを機内へ取り込むようにした遊戯機制御装置。」
である点で一致しており、本件発明１における前記相違点１ないし３において相違しているものと認められるが、これら相違点については「（１）本件発明１について」において述べたとおりである。
　
　そして、本件発明２により奏される効果は、刊行物２、刊行物１に記載された発明及び上記周知技術から当業者が容易に予測し得る範囲のものであるというべきである。 
　したがって、本件発明２は、刊行物２、刊行物１に記載された発明及び上記周知技術から当業者が容易に発明をすることができたものである。
　　　 
７．むすび 
　以上のとおりであるから、本件請求項１、２に係る発明の特許は、特許法第２９条第２項の規定により特許を受けることができない。
　したがって、本件請求項１、２に係る発明については、拒絶の査定をしなければならない特許出願に対してされたものと認める。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１７年３月１５日（２００５．３．１５）